(57)【要約】 【課題】  極めて安価であると共に、排泄物の採取時の不快感あるいは不潔感が小さく、しかも後処理も容易にできるペット用排泄物捕集器を提供する。【解決手段】排泄物が収納される本体（１）と、該本体（１）の開口部（６）に着脱自在に装着される蓋体（２０）とからなるペット用排泄物捕集器（Ｐ）を、射出成形により成形する。射出成形材料に、ペットフードを製造するとき発生する規格外製品、製品外物、ペットフード原料が詰められていた袋の粉砕物および熱可塑性樹脂あるいは生分解性樹脂からなる混合物を用いる。【選択図】図１
2005304395.tif 000002
【特許請求の範囲】
【請求項１】
ペットの排泄物が収納される本体が射出成形により成形されている捕集容器であって、
前記射出成形の成形材料が、タンパク質、澱粉、カルシウム等のペットフード原料からペットフードを製造するとき発生する規格外製品、製品外物およびペットフード原料が詰められていた袋の粉砕物からなる混合物でることを特徴とするペット用排泄物捕集器。
【請求項２】
ペットの排泄物が収納される本体が射出成形により成形されている捕集容器であって、
前記射出成形の成形材料が、タンパク質、澱粉、カルシウム等のペットフード原料からペットフードを製造するとき発生する規格外製品、製品外物、ペットフード原料が詰められていた袋の粉砕物および熱可塑性樹脂あるいは生分解性樹脂からなる混合物であることを特徴とするペット用排泄物捕集器。
【請求項３】
請求項１または２に記載のペット用排泄物捕集容器において、
前記射出成形の成形材料が、タンパク質、澱粉、カルシウム等のペットフード原料からペットフードを製造するとき発生する規格外製品と製品外物が５０〜８０重量％、ペットフード原料が詰められていた袋の粉砕物が０〜１０重量％、熱可塑性樹脂あるいは生分解性樹脂が１０〜５０重量％の混合物でるペット用排泄物捕集容器。
【請求項４】
請求項１〜３のいずれかの項に記載のペット用排泄物捕集容器において、該捕集容器がペットの排泄物が収納される本体と、該本体の開口部に着脱自在に装着される蓋体とからなり、前記本体には取っ手が設けられており、前記蓋体は前記取っ手を利用して前記本体の開口部に着脱自在になっているペット用排泄物捕集容器
【発明の詳細な説明】
【技術分野】
【０００１】
本発明は、ペット用排泄物捕集器に関するもので、より具体的にはペット用排泄物捕集器の構成材料に特徴を有するペット用排泄物捕集器に関するものである。
【背景技術】
【０００２】
最近のペットブームにより、ペットの飼育数が急増している。これに伴い、ぺットをつれた散歩風景もよく見かけられるようになり、これに比例して歩道などに放置されているペットの排泄物もよく目にする。このような状態に放置される原因は色々考えられるが、飼い主のモラルの低下と共に、散歩中に排泄物を処理するときの不潔感、不快感、煩わしさ等も一因と思われる。放置することにより、衛生面、美観等の点で問題になり、近隣住民からの苦情、トラブルの原因にもなっている。
【０００３】
【特許文献１】特開２０００−３２８６５
【特許文献２】特開２００３−３２５０７１
【特許文献３】特開２００４−８２００
【０００４】
一方、責任をもって処理する飼い主も多く見られる。例えば、散歩するときに、園芸用の移植鏝などと共に、スーパーストア等で得られるビニール袋を持参し、排泄物を移植鏝で採集してビニール袋に入れ、そして持ち帰りゴミとして処分もされている。しかしながら、このような処理方法も排泄物をビニール袋へ捕集するときの不潔感、不快感、煩わしさ等は解決されない。このような不快感等の問題を解決するべく、特許文献１により水解紙と水分散性繊維層とからなる排泄物処理用袋が提案されている。また、特許文献２により、本体を採取口枠と軟質袋収納部と養生袋とから構成し、この本体に長い柄を取り付けた汚物採取器が提案されている。さらには、特許文献３により、合成樹脂フイルム製の処理袋と、水溶性の紙と、これらの処理袋と紙とを分けて収納するバックケースと、このバックケースを収納する携帯バックとからなるペットの排泄物処理セットが提案されている。
【発明の開示】
【発明が解決しようとする課題】
【０００５】
上記の特許文献１により提案されている処理袋によると、水解紙と水分散性繊維層の多層シートから構成されているので、排泄物を処理するときの不快な感触は、ある程度軽減され、そして水洗トイレに流すこともでき、後処理の問題も改善されていると認められるが、多層シートの材料費がかさみ全体として高価になることが予想される。また、特許文献２によると、本体には長い柄が付いているので、排泄物を遠隔的に処理できる効果は認められるが、その構造、材質等から見て高価になることは避けられない。さらには、特許文献３に記載の排泄物処理セットは、バックケースに処理袋と紙とが仕切って収納され、そしてこのバックケースが携帯バックに納められているので、携帯には便利で、また迅速に処理袋と紙を取り出すことはできるが、排泄物処理セットが高価になり、大衆間に普及するには価格の点が問題になる恐れがある。
【０００６】
上記のような特許文献により提案されている排泄物処理器具によっても処理することはできるが、比較的高価で飼い主の経済的負担は高く、また、不潔感、不快感等の問題は必ずしも解決されていない。
ペットの排泄物を捕集し、そして持ち帰りを普及させるためには、飼い主のモラルを向上させることは当然必要であるが、金銭的負担を最小限に止めると共に、不快感、不潔感のない器具の提供が望まれる。
本発明は、上記したような問題点に鑑みてなされたもので、極めて安価であると共に、排泄物の採取時の不快感あるいは不潔感が小さく、しかも後処理も容易にできるペット用排泄物捕集器を提供することを目的としている。
【課題を解決するための手段】
【０００７】
本発明の上記目的は、ペット用排泄物捕集容器をペットフードを製造するときに生じる規格外製品等を射出材料とし、射出成形により製造することにより達成される。さらに詳しくは、ペットフードは、タンパク質、澱粉、カルシウム等のペットフード原料から所定形状に製造されるが、このとき製造工場では装置の立ち上げ時に生じるロス製品、所定形状に成形するときの成形不良、カットするときのカット不良等の規格外製品が発生する。また、金型で成形するときには製品外物が生じる。さらには、ペットフード原料が詰められていた袋も廃棄物となる。  本発明は、上記したような規格外製品、製品外物、袋の破砕物等の混合物を射出材料として、ペット用排泄物捕集器を射出成形することにより、前記発明の目的が達成される。または、上記の混合物に熱可塑性樹脂あるいは生分解性樹脂が混入された混合物を射出材料として成形することにより、達成される。上記のような射出材料により成形されるペット用排泄物捕集容器は、排泄物を入れる本体から構成される。そして、この本体には取っ手が付けられ、この取っ手を利用してスクレーパあるいは掻寄せ板としても利用できる蓋体が着圧自在に本体の開口部に取り付けられる。
【０００８】
かくして、請求項１に記載の発明は、上記目的を達成するために、ペットの排泄物が収納される本体が射出成形により成形されている捕集容器であって、前記射出成形の成形材料が、タンパク質、澱粉、カルシウム等のペットフード原料からペットフードを製造するとき発生する規格外製品、製品外物およびペットフード原料が詰められていた袋の粉砕物からなる混合物でるように構成される。
請求項２に記載の発明は、ペットの排泄物が収納される本体が射出成形により成形されている捕集容器であって、前記射出成形の成形材料が、タンパク質、澱粉、カルシウム等のペットフード原料からペットフードを製造するとき発生する規格外製品、製品外物、ペットフード原料が詰められていた袋の粉砕物および熱可塑性樹脂あるいは生分解性樹脂からなる混合物であるように構成される。      請求項３に記載の発明は、請求項１または２に記載のペット用排泄物捕集容器において、前記射出成形の成形材料が、タンパク質、澱粉、カルシウム等のペットフード原料からペットフードを製造するとき発生する規格外製品と製品外物が５０〜８０重量％、ペットフード原料が詰められていた袋の粉砕物が０〜１０重量％、熱可塑性樹脂あるいは生分解性樹脂が１０〜５０重量％の混合物であるように、そして請求項４に記載の発明は、請求項１〜３のいずれかの項に記載のペット用排泄物捕集容器において、該捕集容器がペットの排泄物が収納される本体と、該本体の開口部に着脱自在に装着される蓋体とからなり、前記本体には取っ手が設けられており、前記蓋体は前記取っ手を利用して前記本体の開口部に着脱自在になっている。
【発明の効果】
【０００９】
以上のように、本発明によると、ペット用排泄物捕集容器がタンパク質、澱粉、カルシウム等のペットフード原料からペットフードを製造するとき発生する規格外製品、製品外物およびペットフード原料が詰められていた袋の粉砕物からなる混合物を、あるいはこの混合物に熱可塑性樹脂あるいは生分解性樹脂が混合された混合物を射出成形材料として射出成形されているので、すなわち主として廃棄される材料から成形されているので、極めて安価にペット用排泄物捕集器を提供できる。したがって、ペット飼い主の負担も小さい。また、ペットフード製造工場内で発生する残滓が軽減され、トータルエネルギの低減効果ひいては環境保持効果も得られる。さらには、本発明によるペット用排泄物捕集容器は、ペットフード原料等から成形され焼却温度が低いので、排泄物と共に可燃性ゴミとして焼却処理することもできる。他の発明によると、捕集容器がペットの排泄物が収納される本体と、該本体の開口部に着脱自在に装着される蓋体とからなり、前記本体には取っ手が設けられており、前記蓋体は前記取っ手を利用して前記本体の開口部に着脱自在になっているので、蓋体を本体から外し、蓋体を移植鏝の代わりに使用して、あるいはスクレーパとして排泄物を掬って本体に入れることができる。そして、所定箇所へ持ち帰り、上記したように焼却処分をすることができる。これにより、排泄物を処理するときに不潔感、不快感、煩わしさ等が軽減される。
【発明を実施するための最良の形態】
【００１０】
最初に、図１により本発明の実施の形態に係わるペット用排泄物捕集容器の実施の形態を説明する。ペット用排泄物捕集容器Ｐは、図１に示されているように、本体１と、取っ手１０と、蓋体２０とからなっている。本体１は、上壁２、下壁３、側壁４、４および底壁５から略箱状を呈するように形成され、そして、その前方が斜めに切り落とされた形で開口部６が形成されている。このような形状を呈する本体１は、射出形成により成形されるので、底壁５の方から開口部６の方に向かってテーパ状に大きくなっている。これにより、金型から容易に抜くことができる。また、開口部６が大きくなっているので、排泄物の収容が容易にもなっている。
【００１１】
取っ手１０は、本体の上壁２に融着あるいは接着剤により取り付けられる取付部１１と、この取付部１１の両端から円弧状に立ち上がっている握り部１３とからなっている。取付部１１の下面には所定大きさの切欠１２が形成されている。この切欠１２は、取っ手１０が本体１の上面２に取り付けられると、透孔となり、後述する蓋体２０の柄が挿入される穴１２’となる。握り部１３には、指が挿入される透孔１４が設けられている。このような形状の取っ手１０も射出成形により成形されている。
【００１２】
蓋体２０は、本体の開口部６を覆う大きさの平板部２１からなっている。そして、平板部２１には柄２２が取り付けられている。柄２２の大きさは、穴１２’に入る大きさで、平板部２１と一体的に成形されている。あるいは、柄２２は別体として成形され、平板部２１に接着等の手段により取り付けられている。
【００１３】
次に上記ペット用排泄物捕集容器Ｐの射出成形例について説明する。射出成形材料として、タンパク質、澱粉、カルシウム等のペットフード原料からペットフードを製造するとき発生する規格外製品、製品外物およびペットフード原料が詰められていた袋の粉砕物からなる混合物を用意する。あるいは、この混合物に、強度、耐久性等を向上させるために、熱可塑性樹脂あるいは生分解性樹脂が混合された混合物を用意する。また、本体１と、取っ手１０と、蓋体２０とに分けて成形する金型を用意する。なお、柄２２は、その形状を工夫して蓋体２０と一体的に成形する。さらには、シリンダバレルと、このシリンダバレル内に回転および軸方向に駆動可能に設けられているスクリュとからなる従来周知の射出機を準備する。
【００１４】
従来周知のようにして、射出機により上記した射出材料を可塑化し、そして金型に射出し、本体１と取っ手１０と蓋体２０とを得る。取っ手１０を本体１の上面２に融着あるいは接着する。また、必要に応じてかけ紐２３を取り外し自在に本体１の側壁４、４に取り付ける。蓋体２０の柄２２を穴１２’に挿入する。これにより、図１に示されているように、蓋体２０の平板部２２が本体１の開口部６を塞いだ形で組み立てられる。
【００１５】
ペットの排泄物を採取するときは、蓋体２０を本体１から外し、外した蓋体２０をスクレーパあるいは掻寄板として排泄物を掬い、そして本体１内に入れる。採取が終わったら、蓋体２０の柄２２を本体１の穴１２’に挿入する。そうすると、蓋体２０が本体１に取り付けられると共に、蓋体２０の平板部２１の内側が本体１の開口部６を封鎖する。排泄物が収納されたペット用排泄物捕集容器Ｐを持ち帰り、排泄物を例えば水洗トイレに流す。あるいは全体を焼却処分する。
【００１６】
「実施例１」
射出材料：
ペットフード製造工場内で発生したジャーキーのカット不良品：４５％、
骨型射出成形品のランナ部などの製品外品：                  １０％
小麦粉等のペットフードの原料が入っていた袋の破砕品：        ５％
ポリプロピレン樹脂：                                      ４０％
射出機：株式会社日本製鋼所製のスクリュ外径が５３ｍｍの射出機（Ｊ２２０        ＥＬ三）
金型：テストのため、単純な形状の金型、すなわちキャビテイの容積が縦×横×      厚さが２００ｍｍ×２０ｍｍ×３ｍｍの金型。
射出条件：シリンダバレルの温度：    １７５℃
可塑化時のスクリュ回転数：２００ｒｐｍ
射出速度：                １２０ｍｍ／ｓ
金型温度：                 ５０℃
なお、ジャーキーの成分は、タンパク質、澱粉、カルシウム等からなっている。
結果：得られた平板状の成形品は、平板状の形状を保つに充分な強度があった。これにより、図１に示されているような本体を成形することが可能なことが判明した。本実施例では、焼却テストはしていないが、射出材料の成分から見て、低温で焼却できると推定される。
【００１７】
「実施例２」
射出材料：
ペットフード製造工場内で発生したジャーキーの製造開始時のロス：３０％、
骨型射出成形品のランナ部などの製品外品：                      ３０％
小麦粉等のペットフードの原料が入っていた袋の破砕品：            ５％
ポリプロピレン樹脂：                                          ３５％
なお、金型と成形条件は実施例１と同じ条件でテストした。
結果：得られた平板状の成形品の物理的性質は、実施例１のそれと略同じであった。
以上の実施例１、２から、ペットフードを製造するとき発生する規格外製品、製品外物、ペットフード原料が詰められていた袋の粉砕物等の混合物から射出成形によりペット用排泄物捕集容器を成形できることが確認できた。
【図面の簡単な説明】
【００１８】
【図１】本発明の実施の形態に係わるペット用排泄物捕集容器の斜視図である。
【符号の説明】
【００１９】
１      本体                ６      開口部
１０      取っ手            ２０      蓋体
２１      平板部            ２２      柄
【図１】
2005304395.tif 000003